(57)【要約】【課題】本発明の認識符号によるデータベース自動アクセスと照合結果取得システムは、集配システムや銀行員などの訪問者を正当な者かを割り出すシステムであって、課題は、訪問者が予め嘘の訪問情報を流して訪問することにも対応が出来るデータベース自動アクセスと照合結果取得システムを提供することである。【解決手段】訪問者の提示した認識票を読み取る認識符号読取器と、認識票登録データファイルと、読み取り結果により、これに自動的にアクセスする自動アクセス手段と、照合器／結果返信手段と照合結果を表示し、開錠や報知を制御する照合結果表示／制御器を有することを特徴とする。【選択図】図１
2007004708.tif 000002
【特許請求の範囲】
【請求項１】
訪問者が提示する認識票から、前記訪問者が正当な訪問者であることを判断するために認識符号を読み取る認識符号読取器と、前記訪問者に関連するデータを格納する認識票登録データファイルと、読み取った前記認識符号から、前記認識票登録データファイルに自動的にアクセスする自動アクセス手段と、前記認識票登録データファイルに格納された前記訪問者に関連するデータを照合し、照合結果を返信する照合器／結果返信手段と、前記照合結果を表示及び、又は他の手段を制御する照合結果表示／制御器と、を有することを特徴とする認識符号によるデータベース自動アクセスと照合結果取得システム。
【請求項２】
前記認識票は、集配票、身分証明書の少なくともいずれかであることを特徴とする請求項１記載の認識符号によるデータベース自動アクセスと照合結果取得システム。
【請求項３】
前記認識符号読取器は、前記訪問者が訪問する被訪問者宅の扉の外側に、前記照合結果表示／制御器は、前記扉の内側に設置したことを特徴とする請求項１又は請求項２記載の認識符号によるデータベース自動アクセスと照合結果取得システム。
【請求項４】
前記認識符号読取器、前記自動アクセス手段、前記照合器／結果返信手段、前記照合結果表示／制御器の内、少なくとも前記認識符号読取器と前記照合結果表示／制御器を一体構成したことを特徴とする請求項１から請求項３のいずれか一つに記載の認識符号によるデータベース自動アクセスと照合結果取得システム。
【請求項５】
前記一体構成された構成体は、携帯電話であることを特徴とする請求項４記載の認識符号によるデータベース自動アクセスと照合結果取得システム。
【請求項６】
前記照合結果表示／制御器が制御する前記他の手段は、前記扉を開閉する電子錠、前記訪問者を撮影するカメラ、前記訪問者に音声で指示を出す警報器の少なくとも一つであることを特徴とする請求項１から請求項５のいずれか一つに記載の認識符号によるデータベース自動アクセスと照合結果取得システム。
【請求項７】
前記認識符号は、バーコード又は二次元コードによる記述を含むことを特徴とする請求項１から請求項６のいずれか一つに記載の認識符号によるデータベース自動アクセスと照合結果取得システム。
【請求項８】
前記自動アクセス手段は、前記認識符号を読み取るリーダー付きの携帯電話及び電話網、又は、コンピュータ装置とインターネットであることを特徴とする請求項１から請求項７のいずれか一つに記載の認識符号によるデータベース自動アクセスと照合結果取得システム。
【請求項９】
前記認識符号は、通信上のデータ誤の防止や、不正アクセスの防止をするためのセキュリティー符号を含むことを特徴とする請求項１から請求項８のいずれか一つに記載の認識符号によるデータベース自動アクセスと照合結果取得システム。
【請求項１０】
前記セキュリティー符号は、一定の符号又は擬似乱数ノイズであることを特徴とする請求項９に記載の認識符号によるデータベース自動アクセスと照合結果取得システム。
【請求項１１】
前記セキュリティー符号は、コピー防止処理を施されていることを特徴とする請求項９又は請求項１０に記載の認識符号によるデータベース自動アクセスと照合結果取得システム。
【請求項１２】
前記訪問者に関連するデータには、前記訪問者の顔画像を含み、前記照合結果表示／制御器に前記顔画像を表示することで、前記被訪問者が前記訪問者の確認を行うことを容易にすることを特徴とする請求項１から請求項１１のいずれか一つに記載の認識符号によるデータベース自動アクセスと照合結果取得システム。
【請求項１３】
前記電子錠を開錠した場合に、前記カメラが取得した前記訪問者の前記顔画像のデータを記憶手段に格納することを特徴とする請求項１から請求項１２のいずれか一つに記載の認識符号によるデータベース自動アクセスと照合結果取得システム。
【発明の詳細な説明】
【技術分野】
【０００１】
本発明は、認識票に付設されたＱＲコードなどの符号を読み取り、認識票を登録してあるデータベースに自動的にアクセスを行い、認識票の記述内容がデータベースの記述内容と一致しているかを照合し、照合結果を表示させ、認識票を持参した持参人が正当な者かどうかを認識票を受けた者が判断するシステムに関するものである。
【背景技術】
【０００２】
宅配便の集配人や銀行員を装って、アパートや個人宅を訪問し、扉を開けさせて強盗に早変わりする強盗事件が増えている。前もって、「これから訪問します」という電話をかけて、信じ込ませるような手が込んだことを行ったりするので、つい無用心に入室を許してしまう。このような背景において、セキュリティー対策として従来から、種々のことが、行われている。従来からの例を参照すると以下のようである。特許文献１では、訪問者の携帯電話に管理センターから、訪問の許可情報を送付し、訪問者が訪問した際に、その情報を管理センターに送信して、携帯電話を所持したものが、許可されているかを判定し、開錠し、入室させるものである。予め、定められたもののみの入退室のシステムとして便利であるが、訪問者と被訪問場所が定まって無い場合には、有効ではない。特許文献２では、宅配情報を一元管理するサーバーが、荷物の配達依頼者と配達先に対して、依頼者及び配達先、配達人、荷物を認証するデジタル割符を通信網を介して発行するものである。
予め、送付された割符が偽りのものを使用されると、配達人に疑いを持たないで信じてしまう欠点がある。特許文献３では、荷物を識別する番号を送り先のセキュリティーシステムに送信するものである。予め、嘘の番号を送信し、配達時に嘘の集配票を提示すると、犯罪を防止できない。また、銀行員の様に荷物のない場合は、対応できない。特許文献４では、ホストコンピュータが、配達前に、荷受者の通信端末に、貨物の識別コード又は配達者の認証コードを送信するもので、特許文献３と類似である。犯罪者が、嘘の認識コードを送信し、荷受者が認証のため、符号を確認しても、犯罪者はそのコードを知っているので、防犯の確度は低いといわざるを得ない。特許文献５では、集配表に配達先、配達元情報を2次元コードで記述し、配達員がコードを画像読み取りして、サーバーに送信し、コードを解読して、配達を確実にするシステムが示されている。集配票に書ききれない文字を扱ったり、途中の管理には便利であるが、配達先による配達員の確認はなされないので、防犯上の利点にはなっていない。       
【特許文献１】特開２００４−３５３３９７
【特許文献２】特開２００３−３０２９４
【特許文献３】特開２００３−１３５２５４
【特許文献４】特開２００４−３３１３２９
【特許文献５】特開２００３−３００６２６
【発明の開示】
【発明が解決しようとする課題】
【０００３】
本発明は、上記の集配システムや銀行員などの訪問者を正当な者かを割り出すシステムであって、課題は、従来例のような訪問者が予め嘘の訪問情報を流して訪問することにも対応が出来るデータベース自動アクセスと照合結果取得システムを提供することである。
【課題を解決するための手段】
【０００４】
課題を解決する手段として、本発明は、認識票を読み取る認識符号読取器と、認識票登録データファイルと、読み取り結果により、これに自動的にアクセスする自動アクセス手段と、照合器／結果返信手段と照合結果を表示し、開錠や報知を制御する照合結果表示／制御器とを有している。以下説明する。
【０００５】
請求項１記載の発明は、認識符号によるデータベース自動アクセスと照合結果取得システムであって、訪問者が提示する認識票から、前記訪問者が正当な訪問者であることを判断するために認識符号を読み取る認識符号読取器と、前記訪問者に関連するデータを格納する認識票登録データファイルと、読み取った前記認識符号から、前記認識票登録データファイルに自動的にアクセスする自動アクセス手段と、前記認識票登録データファイルに格納された前記訪問者に関連するデータを照合し、照合結果を返信する照合器／結果返信手段と、前記照合結果を表示及び、又は他の手段を制御する照合結果表示／制御器と、を有することを特徴とする。これにより、訪問者が正当な者かを確認できる。
【０００６】
請求項２記載の発明は、請求項１記載の認識符号によるデータベース自動アクセスと照合結果取得システムにおいて、前記認識票は、集配票、身分証明書の少なくともいずれかであることを特徴とする。集配者が業務で通常使用するものを利用することが出来る。
【０００７】
請求項３記載の発明は、請求項１又は請求項２記載の認識符号によるデータベース自動アクセスと照合結果取得システムにおいて、前記認識符号読取器は、前記訪問者が訪問する被訪問者宅の扉の外側に、前記照合結果表示／制御器は、前記扉の内側に設置したことを特徴とする。訪問者が認識票を直接に認識符号読取器に読み取らせることができ、被訪問者は、扉の内部で結果の表示を確認することができる。
【０００８】
請求項４記載の発明は、請求項１から請求項３のいずれか一つに記載の認識符号によるデータベース自動アクセスと照合結果取得システムにおいて、前記認識符号読取器、前記自動アクセス手段、前記照合器／結果返信手段、前記照合結果表示／制御器の内、少なくとも前記認識符号読取器と前記照合結果表示／制御器を一体構成したことを特徴とする。
これにより、安価にシステムを構成できる。
【０００９】
請求項５記載の発明は、請求項４記載の認識符号によるデータベース自動アクセスと照合結果取得システムにおいて、前記一体構成された構成体は、携帯電話であることを特徴とする。これにより、市販の携帯電話を利用でき、便利さと安価さを得る事ができる。
【００１０】
請求項６記載の発明は、請求項１から請求項５のいずれか一つに記載の認識符号によるデータベース自動アクセスと照合結果取得システムにおいて、前記照合結果表示／制御器が制御する前記他の手段は、前記扉を開閉する電子錠、前記訪問者を撮影するカメラ、前記訪問者に音声で指示を出す警報器の少なくとも一つであることを特徴とする。これにより、セキュリティーに必要な機能を行わせることができる。
【００１１】
請求項７記載の発明は、請求項１から請求項６のいずれか一つに記載の認識符号によるデータベース自動アクセスと照合結果取得システムにおいて、前記認識符号は、バーコード又は二次元コードによる記述を含むことを特徴とする。これにより、流通している技術を利用できる。
【００１２】
請求項８記載の発明は、請求項１から請求項７のいずれか一つに記載の認識符号によるデータベース自動アクセスと照合結果取得システムにおいて、前記自動アクセス手段は、前記認識符号を読み取るリーダー付きの携帯電話及び電話網、又は、コンピュータ装置とインターネットであることを特徴とする。これにより、流通している通信手段を利用できる。
【００１３】
請求項９記載の発明は、請求項１から請求項８のいずれか一つに記載の認識符号によるデータベース自動アクセスと照合結果取得システムにおいて、前記認識符号は、通信上のデータ誤の防止や、不正アクセスの防止をするためのセキュリティー符号を含むことを特徴とする。これにより、誤り防止、不正アクセスの防止を実現できる。
【００１４】
請求項１０記載の発明は、請求項９に記載の認識符号によるデータベース自動アクセスと照合結果取得システムにおいて、前記セキュリティー符号は、一定の符号又は擬似乱数ノイズであることを特徴とする。これにより、セキュリティーの確度を上げることができる。
【００１５】
請求項１１記載の発明は、請求項９又は請求項１０に記載の認識符号によるデータベース自動アクセスと照合結果取得システムにおいて、前記セキュリティー符号は、コピー防止処理を施されていることを特徴とする。これにより、不正コピーを防げる。
【００１６】
請求項１２記載の発明は、請求項１から請求項１１のいずれか一つに記載の認識符号によるデータベース自動アクセスと照合結果取得システムにおいて、前記訪問者に関連するデータには、前記訪問者の顔画像を含み、前記照合結果表示／制御器に前記顔画像を表示することで、前記被訪問者が前記訪問者の確認を行うことを容易にすることを特徴とする。これにより、訪問者の実物との照合の確度が上がる。
【００１７】
請求項１３記載の発明は、請求項１から請求項１２のいずれか一つに記載の認識符号によるデータベース自動アクセスと照合結果取得システムにおいて、前記電子錠を開錠した場合に、前記カメラが取得した前記訪問者の前記顔画像のデータを記憶手段に格納することを特徴とする。これにより、犯罪防止効果が期待できる。
【発明の効果】
【００１８】
以上の様に、本発明は構成されているので、偽りの訪問者による犯罪の危険性を予防することができ、極めて安全を確保したシステムを提供でき、加えて、システムの採用者の信頼性と、競争性が向上する。
【発明を実施するための最良の形態】
【００１９】
本発明を実施するための最良の形態として、訪問者の提示した認識票を読み取る認識符号読取器と、認識票登録データファイルと、読み取り結果により、これに自動的にアクセスする自動アクセス手段と、照合器／結果返信手段と照合結果を表示し、開錠や報知を制御する照合結果表示／制御器を有している。以下、実施例を用いて詳述する。
【実施例】
【００２０】
図1は、本発明に係る認識符号によるデータベース自動アクセスと照合結果取得システムの一実施態様を示すブロック図である。システム構成としては、認識符号読取器１０１、自動アクセス手段１０２、認識票登録データファイル１０３、照合器／結果返信手段１０４、照合結果表示／制御器１０５を構成として、及び、認識票１０７を運用の手段として有している。訪問者１０６が、自身が正当な訪問者であり、犯罪を起こす心配がないことを証明する手段として、認識票１０７（例えば、宅配便の集配人では、集配票）を持参し、扉を開けない状態で、被訪問者宅の認識符号読取器１０１で必要なデータを読み取らせる。認識票１０７には、その訪問者が訪問した理由に相当する事項、例えば、どこの宅配業者で、集配する荷物が確かに存在することや、誰からの集配依頼かなどの情報、或いは、銀行員で、どこの銀行員かを割り出せる情報にアクセスするためのアクセス符号がバーコードや二次元コードで記述してある。アクセス手段として電話を用いる場合には、アクセス先の電話番号とアクセスするデータファイルの番号や、アクセス手段としてインターネットを用いる場合は、アクセス先のデータファイルに到達するアドレスなどがアクセス符号に入っている。認識符号読取器１０１は、バーコードリーダーや二次元コードリーダーを含むものであって、アクセス符号を読み取る機能を有し、読み取った結果を自動アクセス手段１０２に与える。自動アクセス手段１０２は、読み取り結果により駆動され、自動的に認識票登録データファイル１０３に接続される。例えば、自動アクセス手段１０２が、コンピュータ装置とインターネットを介した場合は、認識符号読取器１０１が読み取ったアクセス符号には、少なくとも、アクセス先、例えば集配業者の認識票登録データファイル１０３のアドレス（ＵＲＬ）が含まれ、読み取りにより、直ぐにアクセスがなされる。又、自動アクセス手段１０２が電話では、認識符号読取器１０１が読み取ったアクセス符号には、少なくとも、アクセス先の電話番号と、その後アクセス先、例えば集配業者の認識票登録データファイル１０３に接続される符号が含まれる。例えば、コードリーダー付きの携帯電話では、認識票１０７のアクセス符号を認識すると、電話又は電話を通じたインターネットにより、直接アクセスが可能であり、携帯電話は、1台で認識符号読取器１０１と自動アクセス手段１０２、後で示す照合器／結果返信手段１０４、照合結果表示／制御器１０５の機能を果すことが出来る。認識票登録データファイル１０３は、訪問者が所属或いは委託した集配業者や銀行などの訪問側業者が管理するものであり、認識票登録データファイル１０３に訪問者が訪問することになった理由となる事項、例えば、集配荷物の存在を示す管理項目、訪問日時、集配人の氏名、写真、銀行員の例では、所属を証明する記述、写真などを登録している。従って、このデータファイルにアクセスすると、銀行の場合には、その訪問者がその銀行員として存在することが分かるし、顔データなども照合することも可能である。又、宅配業者では、確かに集配すべき荷物が登録されていて、誰からの荷物か、更に、集配人の誰が集配担当になったかを知ることが出来る。集配開始前にシ���テムとして登録する機能を持たせれば、その集配担当が誰で、その顔画像さえも照合することができ、訪問者が同一人であるかも照合できる。又、その照合情報を適当な記憶場所に自動格納することを行えば、事件になった場合には、その情報から事件は解決されるため、犯罪予防効果が期待される。照合器／結果返信手段１０４は、認識票登録データファイル１０３に格納されたデータの中から、認識符号読取器１０１を介したアクセスに関連し、必要とされる部分のデータを照合データとして引き出し、その結果を照合結果表示／制御器１０５に返送する。照合結果表示／制御器１０５は、送られた照合結果を文字や画像として表示する。更に扉にある錠の開錠指示や、照合結果の報知を音声などで行うことが出来る。
【００２１】
図２は、本発明に係る認識符号によるデータベース自動アクセスと照合結果取得システムの設置の一実施態様を示す図である。認識符号読取器１０１と照合結果表示／制御器１０５の周辺の設置の仕方を２−Ａと２−Ｂで説明する。２−Ａにおいて、認識符号読取器１０１は、扉１０９の外側に設置してあり、訪問者１０６が認識票１０７を読み取らせると、照合結果が、扉１０９の内側に設置してある照合結果表示／制御器１０５に表示されるので、被訪問者１０８が見ることが出来る。勿論、照合結果表示／制御器１０５の表示部を認識符号読取器１０１側にもつけると、両側で表示を見ることが出来る。このような場合は、認識符号読取器１０１と照合結果表示／制御器１０５は、同一体に合体して作られることになる。２−Ｂにおいては、認識符号読取器１０１と照合結果表示／制御器１０５は、扉１０９の内側に設置されていて、訪問者１０６は、扉の穴から認識票１０７を差し入れ、これを被訪問者１０８が受け取り、認識符号読取器１０１に読み取らせる。結果は、照合結果表示／制御器１０５に表示されるが、両者は扉の同一側にあるので、一体として構成されてよい。
【００２２】
図３は、本発明に係る認識符号によるデータベース自動アクセスと照合結果取得システムの機能の一実施態様を示す図である。図２の２−Ａのものに加えて、電子錠１１０が扉についていて、これを照合結果表示／制御器１０５が制御して、開錠を指示している。照合結果により、訪問者が正当である場合のみ、開錠することになる。又、開錠する代償に、カメラ１１１を駆動して、カメラ１１１で訪問者の画像を残すことも可能となる。
【００２３】
認識符号には、通信上のデータ誤の防止や、不正アクセスの防止を目的に認識符号にセキュリティー符号を含めることが出来る。このような符号には、他人には知ることが難しい一定の符号であってもよいが、更に確実性を求める場合には、例えば、認識票の発行の日付や時間、発行所、又は、更に認識票ごとに決まる乱数を用いることが出来る。この乱数は、他人には知ることが全く不可能なので、無関係者のアクセスは不可能となる。この乱数としては、通信などでよく知られたＰＮ符号（擬似乱数ノイズ）などが使える。これは、Ｍ系列、ゴールド符号として知られている。従って、同じ認識票を使わない限り、全くアクセスは不可能となる。又、セキュリティー符号にコピーしても読めないコピー防止機能をつけることもできる。この場合は、コピーされた認識票では、コピーされない部分や文字変化が発生し、認識符号読取器１０１で読み取った場合に、完全な符号でないためアクセスが拒否される。
【産業上の利用可能性】
【００２４】
以上の様に構成されているので、訪問者の提示する認識票により自動的に訪問者に関するデータを格納しているデータファイルにアクセスし、訪問者を照合して訪問者の正当性を確認できるので、弱者であるアパートや個人宅の住人などの被訪問者側の安全を確保でき、しいては、このようなシステムを採用する集配業者や銀行など訪問業者の信用と競争力を高めることができ、極めて有効であり、産業上の利用性を有している。
【図面の簡単な説明】
【００２５】
【図１】本発明に係る認識符号によるデータベース自動アクセスと照合結果取得システムの一実施態様を示すブロック図である。
【図２】本発明に係る認識符号によるデータベース自動アクセスと照合結果取得システムの設置の一実施態様を示す図である。
【図３】本発明に係る認識符号によるデータベース自動アクセスと照合結果取得システムの機能の一実施態様を示す図である。
【符号の説明】
【００２６】
１０１  認識符号読取器
１０２  自動アクセス手段
１０３  認識票登録データファイル
１０４  照合器／結果返信手段
１０５  照合結果表示／制御器
１０６  訪問者
１０７  認識票
１０８  被訪問者
１０９  扉
１１０  電子錠
１１１  カメラ
【図１】
2007004708.tif 000003
【図２】
2007004708.tif 000004
【図３】
2007004708.tif 000005